(57)【要約】【課題】  フィールド順次方式である液晶表示装置の光源に使用されるＲ，Ｇ，Ｂバックライトを駆動する回路を開示する。【解決手段】  バックライト駆動回路は，少なくとも二つ以上のサブフレームで分割された一つのフレームの間に光を放出する，少なくとも二つのバックライトを備え，該バックライトがそれぞれ該当するサブフレームで順次駆動されて相互異なる色の光を放出するようにするバックライト駆動回路において，各バックライトに相互異なる駆動電圧を供給して各バックライトが所定の輝度を有する光を放出するようにする駆動電圧発生手段（３１０）と，各バックライトに相互異なるＰＷＭ信号を供給して各バックライトから放出される光の色度を調節するＰＷＭ信号発生手段（３３０）とを含む。【選択図】    図４
2005157394.tif 000002
【特許請求の範囲】
【請求項１】
フレームを少なくとも二つのサブフレームに分割し，そのサブフレームの間に光を放出する少なくとも二つのバックライトを備え，該各バックライトが放出する光は相互に異なる色の光であり，前記バックライトをそれぞれ該当するサブフレームで順次駆動させ，光を放出させるバックライト駆動回路にあって：
前記各バックライトに相互異なる駆動電圧を供給することで，該各バックライトが所定の輝度を有する光を放出するようにする駆動電圧発生手段と；
前記各バックライトに相互異なるＰＷＭ信号を供給することで，該各バックライトで放出する光の色度を調節するＰＷＭ信号発生手段と；
を備えることを特徴とする，バックライト駆動回路。
【請求項２】
前記バックライトは，赤色の光を放出する赤色発光ダイオード，緑色の光を放出する緑色発光ダイオード，青色の光を放出する青色発光ダイオード，または白色の光を放出する白色発光ダイオードのうち少なくとも二つの発光ダイオードから構成されることを特徴とする，請求項１に記載のバックライト駆動回路。
【請求項３】
前記一のフレームは四つのサブフレームから構成され，前記バックライトは前記赤色発光ダイオードと，前記緑色発光ダイオードと，前記青色発光ダイオードとから構成され，前記四つのサブフレームのうち三つのサブフレームでは，前記赤色発光ダイオード，前記緑色発光ダイオード，または前記青色発光ダイオードの各色が任意の順番でそれぞれ駆動され，残りの一つのサブフレームでは，（１）前記赤色発光ダイオードと，前記緑色発光ダイオードと，前記青色発光ダイオードとがすべて略同時に駆動される，または（２）前記赤色発光ダイオード，前記緑色発光ダイオード，もしくは前記青色発光ダイオードのうち少なくとも一つが駆動されることを特徴とする，請求項１に記載のバックライト駆動回路。
【請求項４】
前記三つのサブフレームでは前記赤色発光ダイオード，前記緑色発光ダイオード，および前記青色発光ダイオードがすべて駆動され，前記残り一つのサブフレームでは前記赤色発光ダイオード，前記緑色発光ダイオード，または前記青色発光ダイオードのうち少なくとも一つの発光ダイオードが駆動され，さらにその残り一つのサブフレームは前記四つのサブフレームの中で任意的に選択されることを特徴とする，請求項３に記載のバックライト駆動回路。
【請求項５】
前記赤色発光ダイオード，前記緑色発光ダイオード，または前記青色発光ダイオードには，（１）それぞれ相互異なる駆動電圧が，前記駆動電圧発生手段から供給される，または（２）該赤色発光ダイオード，該緑色発光ダイオード，もしくは該青色発光ダイオードのうち少なくとも二つの発光ダイオードには同じ駆動電圧が前記駆動電圧発生手段から供給されることを特徴とする，請求項３に記載のバックライト駆動回路。
【請求項６】
前記一のフレームは，四つのサブフレームで構成され，前記バックライトは前記赤色発光ダイオード，前記緑色発光ダイオード，前記青色発光ダイオード，または前記白色発光ダイオードから構成され，前記四つのサブフレームのうち三つのサブフレームでは前記赤色発光ダイオード，前記緑色発光ダイオード，または前記青色発光ダイオードの各色が任意の順番でそれぞれ駆動し，残り一つのサブフレームでは前記白色発光ダイオードが駆動することを特徴とする，請求項１に記載のバックライト駆動回路。
【請求項７】
前記赤色発光ダイオード，前記緑色発光ダイオード，前記青色発光ダイオード，または前記白色発光ダイオードは，四つのサブフレーム内で任意の順序に駆動することを特徴とする，請求項６に記載のバックライト駆動回路。
【請求項８】
前記バックライトには，赤色の光を放出する１又は２以上の赤色バックライトと，緑色の光を放出する１又は２以上の緑色バックライトと，青色の光を放出する１又は２以上の青色バックライトとから構成されることを特徴とする，請求項１記載のバックライト駆動回路。
【請求項９】
前記バックライトが前記赤色バックライト，前記緑色バックライト，または前記青色バックライトのうち少なくとも二つのバックライトから構成される場合，前記少なくとも二つのバックライト各々には，（１）同じ駆動電圧が前記駆動電圧発生手段から供給される，または（２）相互に異なる駆動電圧が前記駆動電圧発生手段から供給されることを特徴とする，請求項８記載のバックライト駆動回路。
【請求項１０】
前記バックライトが前記赤色バックライト，前記緑色バックライト，または前記青色バックライトのうち少なくとも二つのバックライトから構成される場合，前記少なくとも二つのバックライト各々には，（１）同じＰＷＭ信号が前記ＰＷＭ信号発生手段から供給される，または（２）相互に異なるＰＷＭ信号が前記駆動電圧発生手段から供給されることを特徴とする，請求項８記載のバックライト駆動回路。
【請求項１１】
前記駆動電圧発生手段には，前記赤色バックライト，前記緑色バックライト，または前記青色バックライト各々に対応する駆動電圧が予め設定され，その駆動電圧の値を記録するレジスタが備わることを特徴とする，請求項１記載のバックライト駆動回路。
【請求項１２】
前記ＰＷＭ信号発生手段には，前記赤色バックライト，前記緑色バックライト，または前記青色バックライト各々に対応するＰＷＭ信号が予め設定され，そのＰＷＭ信号の値を記録するレジスタが備わることを特徴とする，請求項１記載のバックライト駆動回路。
【請求項１３】
前記発光ダイオードを制御するための制御信号により前記少なくとも二つの発光ダイオードのうち該当する一つの発光ダイオードのみを駆動するための信号を前記ＰＷＭ信号発生手段に供給するＬＥＤコントロール手段をさらに含むことを特徴とする，請求項１記載のバックライト駆動回路。
【発明の詳細な説明】
【技術分野】
【０００１】
本発明は，フィールド順次駆動方式の液晶表示装置に備わるバックライト駆動回路（Ｂａｃｋｌｉｇｈｔ  ｄｒｉｖｉｎｇ  ｃｉｒｃｕｉｔ  ｉｎ  ＦＳ−ＬＣＤ）に関する。
【背景技術】
【０００２】
一般的に，カラー液晶表示装置は上，下部基板と，上，下基板の間に注入された液晶からなっている液晶パネル（又は，液晶層）と，液晶パネルを駆動させるための駆動回路と，液晶に白色光を供給するためのバックライトを備える。このような液晶表示装置は，カラーイメージを表示する方式によってＲＧＢ（Ｒｅｄ，Ｇｒｅｅｎ，Ｂｌｕｅ）カラーフィルタ方式とカラーフィールド順次駆動方式の２つの方式に分けられる。
【０００３】
カラーフィルタ方式の液晶表示装置は，一つの画素をＲ，Ｇ，Ｂ単位画素で分割し，各Ｒ，Ｇ，Ｂ単位画素にＲ，Ｇ，Ｂカラーフィルタが配列される構造であり，一つのバックライトから光が液晶を介してＲ，Ｇ，Ｂカラーフィルタに伝達し，カラーイメージをディスプレイ上に表示する。
【０００４】
一方，カラーフィールド順次駆動方式の液晶表示装置は，Ｒ，Ｇ，Ｂを一組の単位とする画素にＲ，Ｇ，Ｂバックライトが配列される構造であり，一つの画素にＲ，Ｇ，ＢバックライトからＲ，Ｇ，Ｂ三原色の光を，液晶を通して時分割的に順次ディスプレイすることによって，目の残像効果によりカラーイメージをディスプレイ上に表示する。
【０００５】
図１は，一般的なカラーフィールド順次駆動方式の液晶表示装置の概略的な構成図を示すものである。
【０００６】
図１を参照すると，液晶表示装置は，複数のゲートライン，複数のデータライン及び複数の共通ラインにスイッチング用の薄膜トランジスタが接続されたＴＦＴアレイ（図示せず）が配列された下部基板１０１と；上記共通ラインに共通電圧を供給するための共通電極（図示せず）が形成されている上部基板１０３と，前記上部／下部基板１０３，１０１との間に注入された液晶層（図示せず。）を有する液晶パネル１００を備える。
【０００７】
また，液晶表示装置は，前記液晶パネル１００の複数のゲートラインに走査信号を供給するためのゲートライン駆動回路１１０と，上記データラインにＲ，Ｇ，Ｂデータ信号を供給するためのデータライン駆動回路１２０と，前記液晶パネル１００にＲ，Ｇ，Ｂ三原色の光を供給するためのバックライトシステム１３０をさらに備える。
【０００８】
該バックライトシステム１３０は，Ｒ，Ｇ，Ｂ光をそれぞれ供給するための三つのＲ，Ｇ，Ｂバックライト１３１，１３３，１３５と，該各Ｒ，Ｇ，Ｂバックライト１３１，１３３，１３５から発光されたＲ，Ｇ，Ｂ光を液晶パネル１００の液晶に供給するための導光板１３７を備える。
【０００９】
一般的に６０Ｈｚで駆動する一つのフレームの時間間隔は１６．７ｍｓ（１／６０ｓ）であるため，上述したような一つのフレームが三つのサブフレームで分割されるフィールド順次駆動方式の液晶表示装置では一つのサブフレームは単純に３分割すると５．５６ｍｓ（１／１８０ｓ）の時間間隔を有する。一つのサブフレームの時間間隔は非常に短い時間であり，フィールド変化を肉眼で認識することはできない。従って，人の目では１６．７ｍｓの統合された時間として認識されＲ，Ｇ，Ｂ三原色の合成されたカラーが認識されるのである。
【００１０】
よって，フィールド順次駆動方式は，カラーフィルタ方式と比べて同じ大きさのパネルで３倍程度の解像度具現が可能であり，カラーフィルタを使わないので光効率が増加し，カラーテレビジョンと同様な色の再現性及び高速の動画像を具現することのできる利点がある反面，一つのフレームが三つのサブフレームで分割されて駆動するので，カラーフィルタ駆動方式に比べて駆動周波数が６倍以上の高い駆動周波数を必要とするために高速の動作特性が要求される。なお，光効率は光の取出し量をいう。
【００１１】
従って，液晶表示装置が高速の動作特性を得るためには液晶の応答速度が速くなければならなく，これによってＲ，Ｇ，Ｂバックライトのオン／オフスイッチング速度も相対的に速くなければならない。
【００１２】
次に，図２は，図１に示すフィールド順次駆動方式の液晶表示装置に使われるＲ，Ｇ，Ｂバックライトを駆動する方法を説明するための図面である。
【００１３】
図２を参照すると，従来に係るバックライト駆動回路は，Ｒ，Ｇ，Ｂ三原色の光を順次に放出するバックライト２００と，前記Ｒ，Ｇ，Ｂバックライト２０１，２０３，２０４に同じレベルの駆動電圧（ＶＬＥＤ）を共通で供給するための駆動電圧発生手段２１０を備える。
【００１４】
バックライト２００は，Ｒ光を放出するＲバックライト２０１と，Ｇ光を放出するＧバックライト２０３と，Ｂ光を放出するＢバックライト２０５とを備える。前記Ｒバックライト２０１は，それぞれＲ（赤色）の光を放出する並列で接続された二つのＲ発光ダイオード（ＲＬＥＤ１，ＲＬＥＤ２）で構成され，前記Ｇバックライト２０３はＧ（緑色）の光を放出する一つのＧ発光ダイオード（ＧＬＥＤ）で構成され，Ｂバックライト２０５はＢ（青色）の光を放出する並列で接続された二つのＢ発光ダイオードＢＬＥＤ１，ＧＬＥＤ２）で構成される。
【００１５】
駆動電圧発生手段２１０は，バックライト２００を構成する全てのＲ，Ｇ，Ｂバックライト２０１，２０３，２０５に同じレベルの駆動電圧（ＶＬＥＤ）を供給することになるが，Ｒバックライト２０１には駆動電圧（ＶＬＥＤ）がＲ発光ダイオード（ＲＬＥＤ１）のアノード電極より供給され，Ｂバックライト２０３には駆動電圧（ＶＬＥＤ）がＧ発光ダイオード（ＧＬＥＤ１）のアノード電極より供給され，Ｂバックライト２０５には駆動電圧（ＶＬＥＤ）がＢ発光ダイオード（ＢＬＥＤ１）のアノード電極よりそれぞれ供給する。
【００１６】
また，従来のバックライト駆動回路は，バックライト２００と接地との間に直列で接続されてバックライト２００から放出される光の輝度を調節するための輝度調節手段をさらに備える。輝度調節手段としては，Ｒバックライト２０１のＲ発光ダイオード（ＲＬＥＤ２）のカソード電極と接地との間に接続されてＲバックライト２０１から発光される光の輝度を調節するための第１可変抵抗（ＲＶＲ）と，Ｇバックライト２０３のＧ発光ダイオード（ＧＬＥＤ１）のカソード電極と接地との間に接続されてＧバックライト２０３から発光される光の輝度を調節するための第２可変抵抗（ＧＶＲ）と，Ｂバックライト２０５のＢ発光ダイオード（ＢＬＥＤ２）のカソード電極と接地との間に接続されてＢバックライト２０５から発光される光の輝度を調節するための第３可変抵抗（ＢＶＲ）とを備える。
【００１７】
従来は，Ｒ，Ｇ，Ｂバックライト２０１，２０３，２０５の発光ダイオード（ＲＬＥＤ，ＧＬＥＤ，ＢＬＥＤ）の順方向駆動電圧（ＲＶｆ，ＧＶｆ，ＢＶｆ）が互いに相異なるにも関わらず，駆動電圧発生手段２１０からＲ，Ｇ，またはＢバックライト２０１，２０３，２０５に同じ駆動電圧，例えば４Ｖの電圧が供給される。例えば，Ｒ発光ダイオード（ＲＬＥＤ）は２．２Ｖの順方向駆動電圧（ＲＶｆ）が要求され，Ｇ発光ダイオード（ＧＬＥＤ）は３．３Ｖの順方向駆動電圧（ＧＶｆ）が要求され，Ｂ発光ダイオード（ＢＬＥＤ）は３．４Ｖの順方向駆動電圧（ＢＶｆ）が必要である。
【００１８】
従来は，Ｒ，Ｇ，Ｂバックライト２０１，２０３，２０５に，すべて等しく４Ｖの駆動電圧（ＶＬＥＤ）が供給されるので，Ｒ発光ダイオード（ＲＬＥＤ１，ＲＬＥＤ２）を駆動しようとする場合には可変抵抗（ＲＶＦ）を用いてＲ発光ダイオード（ＲＬＥＤ１，ＲＬＥＤ２）に２．２Ｖの順方向駆動電圧（ＲＶｆ）を印加してＲバックライト２０１から発光される光の輝度を調整する。
【００１９】
一方，Ｇ発光ダイオード（ＧＬＥＤ１）を駆動しようとする場合には可変抵抗（ＧＶＲ）を用いてＧ発光ダイオード（ＧＬＥＤ１）に３．３Ｖの順方向駆動電圧（ＧＶｆ）を印加してＧバックライト２０３から発光される光の輝度を調整する。また，Ｂ発光ダイオード（ＢＬＥＤ１，ＢＬＥＤ２）を駆動しようとする場合には可変抵抗（ＢＶＲ）を利用してＢ発光ダイオード（ＢＬＥＤ１，ＢＬＥＤ２）に３．４Ｖの順方向駆動電圧（ＢＶｆ）を印加してＢバックライト２０５から発光される光の輝度を調整する。
【発明の開示】
【発明が解決しようとする課題】
【００２０】
しかしながら，上述したような従来に係るバックライト駆動回路は，互いに異なる駆動電圧で駆動するＲ，Ｇ，Ｂ発光ダイオードに関係なく４Ｖの同じ駆動電圧が供給された。すなわち，一つのフレームをＲ，Ｇ，Ｂ発光ダイオードの駆動のために３サブフレーム間に同じ駆動電圧が印加されるので，消費電力が増加する問題点があるだけでなく，Ｒ，Ｇ，Ｂ発光ダイオードに要求される駆動電圧の中で一番大きい駆動電圧に相応する駆動電圧を，前記駆動電圧発生回路が供給しなければならないという問題点があった。
【００２１】
また，各サブフレームにＲ，Ｇ，Ｂ発光ダイオードに供給される順方向駆動電圧を，可変抵抗を用いて手動で調整しなければならない問題点があり，また，発光ダイオードの駆動電流のばらつきが大きい場合には可変抵抗による手動調整だけでは各Ｒ，Ｇ，Ｂ発光ダイオードに適した順方向駆動電圧を供給し難いという問題点があった。
【００２２】
本発明は，上記問題点に鑑みてなされたものであり，本発明の目的は，ＲＧＢ発光ダイオード各々の駆動電流のばらつきに関係なく各発光ダイオードに適した駆動電圧を供給可能な，新規かつ改良されたバックライト駆動回路を提供することである。
【課題を解決するための手段】
【００２３】
上記課題を解決するため，本発明の第１の観点によれば，フレームを少なくとも二つのサブフレームに分割し，そのサブフレームの間に光を放出する少なくとも二つのバックライトを備え，該各バックライトが放出する光は相互に異なる色の光であり，前記バックライトをそれぞれ該当するサブフレームで順次駆動させ，光を放出させるバックライト駆動回路が提供される。上記バックライト駆動回路は，各バックライトに相互異なる駆動電圧を供給することで，該各バックライトが所定の輝度を有する光を放出するようにする駆動電圧発生手段と；各バックライトに相互異なるＰＷＭ信号を供給することで，該各バックライトで放出する光の色度を調節するＰＷＭ信号発生手段とを備えることを特徴としている。
【００２４】
上記バックライトは，赤色の光を放出する赤色発光ダイオード，緑色の光を放出する緑色発光ダイオード，青色の光を放出する青色発光ダイオード，または白色の光を放出する白色発光ダイオードのうち少なくとも二つの発光ダイオードから構成されるようにしてもよい。したがって，本発明に係る一のバックライトには，例えば同色の発光ダイオードが少なくとも二つ備わる場合や，異なる色の発光ダイオードが少なくとも二つ備わる場合などを例に挙げることができる。
【００２５】
上記一のフレームは四つのサブフレームから構成され，バックライトは赤色発光ダイオードと，前記緑色発光ダイオードと，前記青色発光ダイオードとから構成され，四つのサブフレームのうち三つのサブフレームでは，前記赤色発光ダイオード，前記緑色発光ダイオード，または前記青色発光ダイオードの各色が任意の順番でそれぞれ駆動され，残りの一つのサブフレームでは，（１）前記赤色発光ダイオードと，前記緑色発光ダイオードと，前記青色発光ダイオードとがすべて略同時に駆動される，または（２）前記赤色発光ダイオード，前記緑色発光ダイオード，もしくは前記青色発光ダイオードのうち少なくとも一つが駆動されるように構成してもよい。
【００２６】
上記三つのサブフレームでは赤色発光ダイオード，緑色発光ダイオード，および青色発光ダイオードがすべて駆動され，上記残り一つのサブフレームでは赤色発光ダイオード，緑色発光ダイオード，または青色発光ダイオードのうち少なくとも一つの発光ダイオードが駆動され，さらにその残り一つのサブフレームは四つのサブフレームの中で任意的に選択されるように構成してもよい。
【００２７】
上記赤色発光ダイオード，緑色発光ダイオード，または青色発光ダイオードには，（１）それぞれ相互異なる駆動電圧が，駆動電圧発生手段から供給される，または（２）赤色発光ダイオード，緑色発光ダイオード，もしくは青色発光ダイオードのうち少なくとも二つの発光ダイオードには同じ駆動電圧が前記駆動電圧発生手段から供給されるように構成してもよい。
【００２８】
上記一のフレームは，四つのサブフレームで構成され，バックライトは赤色発光ダイオード，緑色発光ダイオード，青色発光ダイオード，または白色発光ダイオードから構成され，上記四つのサブフレームのうち三つのサブフレームでは赤色発光ダイオード，緑色発光ダイオード，または青色発光ダイオードの各色が任意の順番でそれぞれ駆動し，残り一つのサブフレームでは白色発光ダイオードが駆動するように構成してもよい。
【００２９】
上記赤色発光ダイオード，前記緑色発光ダイオード，前記青色発光ダイオード，または前記白色発光ダイオードは，四つのサブフレーム内で任意の順序に駆動するように構成してもよい。
【００３０】
上記バックライトには，赤色の光を放出する１又は２以上の赤色バックライトと，緑色の光を放出する１又は２以上の緑色バックライトと，青色の光を放出する１又は２以上の青色バックライトとから構成されるようにしてもよい。
【００３１】
上記バックライトが赤色バックライト，緑色バックライト，または青色バックライトのうち少なくとも二つのバックライトから構成される場合，少なくとも二つのバックライト各々には，（１）同じ駆動電圧が前記駆動電圧発生手段から供給される，または（２）相互に異なる駆動電圧が前記駆動電圧発生手段から供給されるように構成してもよい。
【００３２】
上記バックライトが赤色バックライト，緑色バックライト，または青色バックライトのうち少なくとも二つのバックライトから構成される場合，少なくとも二つのバックライト各々には，（１）同じＰＷＭ信号が前記ＰＷＭ信号発生手段から供給される，または（２）相互に異なるＰＷＭ信号が前記駆動電圧発生手段から供給されるように構成してもよい。
【００３３】
上記駆動電圧発生手段には，赤色バックライト，緑色バックライト，または青色バックライト各々に対応する駆動電圧が予め設定され，その駆動電圧の値を記録するレジスタが備わるように構成してもよい。
【００３４】
上記ＰＷＭ信号発生手段には，赤色バックライト，緑色バックライト，または青色バックライト各々に対応するＰＷＭ信号が予め設定され，そのＰＷＭ信号の値を記録するレジスタが備わるように構成してもよい。
【００３５】
上記発光ダイオードを制御するための制御信号により少なくとも二つの発光ダイオードのうち該当する一つの発光ダイオードのみを駆動するための信号をＰＷＭ信号発生手段に供給するＬＥＤコントロール手段をさらに含むように構成してもよい。
【００３６】
上記課題を解決するために，本発明の別の観点によれば，少なくとも２つ以上のサブフレームで分割された一つのフレームの間に光を放出する，少なくとも２つのバックライトを備え，前記バックライトがそれぞれ該当するサブフレームで順に駆動されて相互異なる色の光を放出させるようにするバックライト駆動回路において，各バックライトに相互異なる駆動電圧を供給して各バックライトが所定の輝度を有する光を放出させるようにする駆動電圧発生手段と，各バックライトに相互異なるＰＷＭ信号を供給して各バックライトから放出される光の色度を調節するＰＷＭ信号発生手段とを含むバックライト駆動回路を供給する。
【００３７】
前記バックライトは，Ｒ，Ｇ，ＢまたはＷ色を放出するバックライトの中で，少なくとも二つのバックライトで構成される。前記一つのフレームは四つのサブフレームで構成され，前記バックライトはＲ，Ｇ，Ｂ発光ダイオードで構成されて三つのサブフレームではＲ，Ｇ，Ｂ発光ダイオードをそれぞれ駆動し，残りの一つのフレームではＲ，Ｇ，Ｂ発光ダイオードをすべて同時に駆動したり，または，Ｒ，Ｇ，Ｂ発光ダイオードの中の一つ以上を駆動する。前記Ｒ，Ｇ，Ｂ発光ダイオードは三つのサブフレーム内で任意の順序で駆動され，Ｒ，Ｇ，Ｂ発光ダイオードがすべて駆動されたり，または，少なくとも一つ以上の発光ダイオードが駆動される残りの一つのフレームは四つのサブフレームの中で任意選択される。
【００３８】
前記Ｒ，Ｇ，Ｂ発光ダイオードでは，それぞれ互いに異なる駆動電圧が前記駆動電圧発生手段から供給されたり，または，Ｒ，Ｇ，Ｂ発光ダイオードの中で，少なくとも二つの発光ダイオードには同じ駆動電圧が前記駆動電圧発生手段から供給される。
【００３９】
前記一つのフレームは四つのサブフレームで構成され，前記バックライトはＲ，Ｇ，Ｂ，Ｗ発光ダイオードで構成されて三つのサブフレームではＲ，Ｇ，Ｂ発光ダイオードをそれぞれ駆動し，残りの一つのフレームではＷ発光ダイオードを駆動する。前記Ｒ，Ｇ，Ｂ，Ｗ発光ダイオードは四つのサブフレーム内で任意の順序で駆動される。
【００４０】
前記バックライトは，それぞれ一つ以上のＲ，Ｇ，Ｂバックライトで構成され，前記バックライトが二つ以上のＲ，Ｇ，Ｂバックライトで構成される場合には，二つ以上のＲ，Ｇ，Ｂバックライトのそれぞれには同じ駆動電圧が前記駆動電圧発生手段から供給されたり，または，相互異なる駆動電圧が前記駆動電圧発生手段から供給される。前記バックライトが二つ以上のＲ，Ｇ，Ｂバックライトで構成される場合には，二つ以上のＲ，Ｇ，Ｂバックライトのそれぞれには同じＰＷＭ信号が前記ＰＷＭ信号発生手段から供給されたり，または，相互異なるＰＷＭ信号が前記駆動電圧発生手段から供給される。
【００４１】
前記駆動電圧発生手段は，それぞれＲ，Ｇ，Ｂバックライトに該当する駆動電圧が予め設定されて記録されているレジスタで構成され，前記ＰＷＭ信号発生手段はそれぞれＲ，Ｇ，Ｂバックライトに該当するＰＷＭ信号が予め設定されて記録されているレジスタで構成される。バックライト駆動回路は，前記発光ダイオードを制御するための制御信号により前記二つ以上の発光ダイオードの中で該当する一つの発光ダイオードだけを駆動するための信号を前記ＰＷＭ信号発生手段に供給するＬＥＤコントロール手段をさらに含む。
【発明の効果】
【００４２】
以上説明したように，本発明によれば，バックライト駆動回路は，赤色発光ダイオード，青色発光ダイオード，または緑色発光ダイオード各々に適した順方向駆動電圧をレジスタに記録し，また，赤色発光ダイオード，青色発光ダイオード，または緑色発光ダイオードに適したＰＷＭ値を他のレジスタに記録し，それぞれのサブフレームで赤色発光ダイオード，青色発光ダイオード，または緑色発光ダイオードに対応する順方向駆動電圧とＰＷＭ信号を発生するので，最適の輝度及び色度を有する光を放出できると共に効率を増加させることができる。
【発明を実施するための最良の形態】
【００４３】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００４４】
図３は，本実施の形態に係る順次駆動方式の液晶表示装置に使われるバックライト駆動回路の動作原理を説明するための概略的な説明図である。
【００４５】
図３を参照すると，本実施の形態にかかるバックライト駆動回路は，Ｒバックライト（赤色バックライト）３０１，Ｇバックライト（緑色バックライト）３０３，Ｂバックライト（青色バックライト）３０５にそれぞれのＲ，Ｇ，Ｂ発光ダイオード（ＲＬＥＤ，ＧＬＥＤ，ＢＬＥＤ）に適した順方向駆動電圧を順に発生させ，順方向駆動電圧により各Ｒ発光ダイオード（赤色発光ダイオード：ＲＬＥＤ），Ｇ発光ダイオード（緑色発光ダイオード：ＧＬＥＤ），またはＢ発光ダイオード（青色発光ダイオード：ＢＬＥＤ）を駆動して輝度が調節された色を具現する。また，Ｒ，Ｇ，Ｂ発光ダイオード（ＲＬＥＤ，ＧＬＥＤ，ＢＬＥＤ）に適した相互に異なるＰＷＭ値（ＲＰＷＭ，ＧＰＷＭ，ＢＰＷＭ）を調節して具現される色のホワイトバランスを最適化させる。このとき，ＰＷＭ（Ｐｕｌｓｅ  Ｗｉｔｈ  Ｍｏｄｕｌａｔｉｏｎ）値はそれぞれのＲ，Ｇ，Ｂ発光ダイオード（ＲＬＥＤ，ＧＬＥＤ，ＢＬＥＤ）ごとに相異なる値を有する。なお，Ｒ発光ダイオード，Ｇ発光ダイオード，またはＢ発光ダイオードをＲ，Ｇ，Ｂ発光ダイオードと記載する場合もある。
【００４６】
例えば，一つのフレームが三つのサブフレームで構成されてＲ，Ｇ，Ｂ発光ダイオード（ＲＬＥＤ，ＧＬＥＤ，ＢＬＥＤ）を各サブフレームごとに順次駆動する場合，第１サブフレームではＲ発光ダイオード（ＲＬＥＤ）に適した順方向駆動電圧（ＧＶｆ）をそれぞれ供給してＲ発光ダイオード（ＲＬＥＤ）を駆動する。続いて，第２サブフレームでは，Ｇ発光ダイオード（ＧＬＥＤ）に適した順方向駆動電圧（ＧＶｆ）をそれぞれ供給してＧ発光ダイオード（ＧＬＥＤ）を駆動し，第３サブフレームではＢ発光ダイオード（ＢＬＥＤ）に適した順方向駆動電圧（ＢＶｆ）を供給してＢ発光ダイオード（ＢＬＥＤ）を駆動する。
【００４７】
このように第１サブフレームでＲ発光ダイオード（ＲＬＥＤ）に適した駆動電圧（ＲＶｆ）が発生し駆動されるとき，Ｒ発光ダイオード（ＲＬＥＤ）に適したＰＷＭ値（ＲＰＷＭ）を供給してＲ色の色度を調整し，第２サブフレームではＧ発光ダイオード（ＧＬＥＤ）に適した駆動電圧（ＧＶｆ）が発生し駆動される時，Ｇ発光ダイオード（ＧＬＥＤ）に適したＰＷＭ値（ＧＰＷＭ）を供給してＧ色の色度を調整し，第３サブフレームではＢ発光ダイオード（ＧＬＥＤ）に適したＰＷＭ値（ＢＰＷＭ）を供給してＢ色の色度を調整する。
【００４８】
従って，Ｒ，Ｇ，Ｂ発光ダイオード（ＲＬＥＤ，ＧＬＥＤ，ＢＬＥＤ）にそれぞれ適した順方向駆動電圧を発生させて望む輝度を有するＲ，Ｇ，Ｂ色を具現し，また各順方向駆動電圧により駆動されるＲ，Ｇ，Ｂ発光ダイオード（ＲＬＥＤ，ＧＬＥＤ，ＢＬＥＤ）のＰＷＭ値はホワイトバランスを調整する。よって，所定の輝度で最適化された色度を有する色を供給することになる。
【００４９】
図４は，本実施の形態にかかるバックライト駆動回路の詳細な構成の一例について示すブロック図である。
【００５０】
図４を参照すると，本発明のバックライト駆動回路は，Ｒ，Ｇ，Ｂ光を発生させるためのバックライト３００と，該バックライト３００で駆動電圧（ＶＬＥＤ１），（ＶＬＥＤ２）を発生させるための駆動電圧発生手段３１０と，第１制御信号（ＬＥＤ＿ＣＴＲＬ０）及び第２制御信号（ＬＥＤ＿ＣＴＲＬ１）でバックライト３００の駆動を制御するＬＥＤコントロール手段３２０と，上記ＬＥＤコントロール手段３２０から供給される出力信号に応じてバックライト３００にＰＷＭ信号を発生するＰＷＭ信号発生手段３３０を備える。
【００５１】
バックライト３００は，Ｒ（赤：Ｒｅｄ）色の光を放出するＲバックライト３０１と，Ｒバックライト３０３，Ｇ（緑：Ｇｒｅｅｎ）色の光を放出するＧバックライト３０３と，Ｇバックライト３０４と，Ｂ（青：Ｂｌｕｅ）色の光を放出するＢバックライト３０５と，Ｂバックライト３０６とを備える。
【００５２】
上記Ｒバックライト３０１，３０２は，それぞれ直列で接続された二つのＲ発光ダイオード（ＲＬＥＤ１，ＲＬＥＤ２），（ＲＬＥＤ３，ＲＬＥＤ４）で構成され，発光ダイオード（ＲＬＥＤ１），（ＲＬＥＤ３）のアノード電極にはそれぞれの駆動電圧発生手段３１０の出力端子（ＶＬＥＤ１），（ＶＬＥＤ２）からＲ発光ダイオードの駆動に要求される順方向駆動電圧（ＲＶｆ１），（ＲＶｆ２）が供給される。
【００５３】
上記Ｇバックライト３０３，Ｇバックライト３０４は，それぞれ一つのＧ発光ダイオード（ＧＬＥＤ１），Ｇ発光ダイオード（ＧＬＥＤ２）を備え，Ｇ発光ダイオード（ＧＬＥＤ１），Ｇ発光ダイオード（ＧＬＥＤ２）のアノード電極にはそれぞれ駆動電圧発生手段３１０の出力端子（ＶＬＥＤ１），出力端子（ＶＬＥＤ２）からＧ発光ダイオードの駆動に要求される順方向駆動電圧（ＧＶｆ１），順方向駆動電圧（ＧＶｆ２）が各々供給される。
【００５４】
Ｂバックライト３０５には，並列で連結された二つのＢ発光ダイオード（ＢＬＥＤ１）と，Ｂ発光ダイオード（ＢＬＥＤ２）とが備わり，同様にＢバックライト３０６には，並列で連結された二つのＢ発光ダイオード（ＢＬＥＤ３）と，Ｂ発光ダイオード（ＢＬＥＤ４）とが備わる。
【００５５】
上記発光ダイオード（ＢＬＥＤ１），発光ダイオード（ＢＬＥＤ３）のアノード電極には，それぞれ駆動電圧発生手段３１０の出力端子（ＶＬＥＤ１），出力端子（ＶＬＥＤ２）からＢ発光ダイオードの駆動に要求される順方向駆動電圧（ＲＶｆ１），順方向駆動電圧（ＲＶｆ２）が供給される。
【００５６】
なお，本実施の形態では，バックライト３００がＲ，Ｇ，Ｂ発光ダイオードだけで構成されているが，Ｒ，Ｇ，Ｂ発光ダイオードとＷ（ｗｈｉｔｅ：白）色を放出するＷ発光ダイオードで構成される場合であっても実施可能である。また，Ｒ，Ｇ，Ｂバックライトがそれぞれ二つのバックライトで構成されでいるが，１又は２以上の発光ダイオードで構成されてもよい。
【００５７】
駆動電圧発生手段３１０は，バックライト３００に構成されるＲ，Ｇ，Ｂバックライト（３０１，３０２，３０３，３０４，３０５，３０６）に適したそれぞれの順方向駆動電圧（ＲＶｆ１，ＲＶｆ２），順方向駆動電圧（ＧＶｆ１，ＧＶｆ２），順方向駆動電圧（ＢＶｆ１，ＢＶｆ２）を順次発生するためのものであり，また駆動電圧発生手段３１０は，Ｒ，Ｇ，Ｂバックライト（３０１，３０２，３０３，３０４，３０５，３０６）の順方向駆動電圧（ＲＶｆ），順方向駆動電圧（ＧＶｆ），順方向駆動電圧（ＢＶｆ）の値などを記録するためのレジスタを備える。
【００５８】
従って，駆動電圧発生手段３１０は，Ｒ発光ダイオードを駆動させるためのＲサブフレームではＲ発光ダイオード（ＲＬＥＤ１，ＲＬＥＤ３）のアノード電極にＲ発光ダイオードに適した駆動電圧（ＲＶｆ１，ＲＶｆ２）をそれぞれ発生させ，Ｇ発光ダイオードを駆動させるためのＧサブフレームではＧ発光ダイオード（ＧＬＥＤ１，ＧＬＥＤ２）のアノード電極にＧ発光ダイオードに適した駆動電圧（ＧＶｆ１，ＧＶｆ２）をそれぞれ発生させ，Ｂ発光ダイオードを駆動するためのＢサブフレームではＢ発光ダイオード（ＢＬＥＤ１，ＢＬＥＤ３）のアノード電極にＢ発光ダイオードに適した駆動電圧（ＢＶｆ１，ＢＶｆ２）を発生させる。
【００５９】
このとき，駆動電圧発生手段３１０は，Ｒバックライト３０１，Ｒバックライト３０２に同じ駆動電圧（ＲＶｆ１，ＲＶｆ２）をそれぞれ供給し，Ｇバックライト３０３，Ｇバックライト３０４に同じ駆動電圧（ＧＶｆ１，ＧＶｆ２）をそれぞれ供給し，Ｂバックライト３０５，Ｂバックライト３０６に同じ駆動電圧（ＢＶｆ１，ＢＶｆ２）をそれぞれ供給する。
【００６０】
一方，それぞれ発光ダイオードの駆動電流のばらつきが不均一である場合には，Ｒバックライト３０１，Ｒバックライト３０２に適した相互異なる駆動電圧（ＲＶｆ１，ＲＶｆ２）を供給し，Ｇバックライト３０３，Ｇバックライト３０４に適した相互異なる駆動電圧（ＧＶｆ１，ＧＶｆ２）を供給し，そしてＢバックライト３０５，Ｂバックライト３０６に適した相互異なる駆動電圧（ＢＶｆ１，ＢＶｆ２）をそれぞれ供給することもできる。なお，上記各々の発光ダイオードの駆動電流のばらつきが不均一となる原因としては，駆動に何らかの問題が発生し，電流印加量が相違することによる場合等を例示できる。
【００６１】
また，Ｒ，Ｇ，Ｂバックライトに供給される駆動電圧（ＲＶｆ），駆動電圧（ＧＶｆ），駆動電圧（ＢＶｆ）は，互いに異なるレベルの電圧が供給されるが，Ｒ，Ｇ，Ｂバックライトに供給される駆動電圧（ＲＶｆ），駆動電圧（ＧＶｆ），駆動電圧（ＢＶｆ）のすべてが互いに異なり，または，Ｒ，Ｇ，Ｂバックライトのうち，少なくとも一つ又は少なくとも一色のバックライトだけに相互異なる駆動電圧を供給することもある。
【００６２】
ＬＥＤコントロール手段３２０は，第１制御信号（ＬＥＤ＿ＣＴＲＬ０）及び第２制御信号（ＬＥＤ＿ＣＴＲＬ１）を受信することにより一つのフレームに構成された複数のサブフレームの中で該当するフレームでＲ，Ｇ，Ｂバックライトの中に該当するバックライトを駆動させるための信号を出力する。
【００６３】
前記ＰＷＭ信号発生手段３３０は，前記ＬＥＤコントロール手段３２０の出力信号に従ってＲ，Ｇ，Ｂバックライト（３０１，３０２，３０３，３０４，３０５，３０６）に該当するＰＷＭ信号（ＲＰＷＭ１，ＲＰＷＭ２），ＰＷＭ信号（ＧＰＷＭ１，ＧＰＷＭ２），ＰＷＭ信号（ＢＰＷＭ１，ＢＰＷＭ２）を発生させるためのものであり，各Ｒ，Ｇ，ＢバックライトのＰＷＭ信号を記録するレジスタを備えている。
【００６４】
従って，ＰＷＭ信号発生手段３３０は，一つのフレームを構成する多数のフレームの中で，ＲサブフレームではＲバックライト３０１，３０２の発光ダイオード（ＲＬＥＤ１），（ＲＬＥＤ３）のカソード電極にＰＷＭ信号（ＲＰＷＭ，ＲＰＷＭ２）をそれぞれ発生させてＲバックライト３０１，３０２を駆動する。ＧサブフレームではＧバックライト３０３，Ｇバックライト３０４の発光ダイオード（ＧＬＥＤ１，ＧＬＥＤ２）のカソード電極にＰＷＭ信号（ＧＰＷＭ１，ＧＰＷＭ２）をそれぞれ発生させてＧバックライト３０３，Ｇバックライト３０４をそれぞれ駆動する。ＢサブフレームではＢバックライト３０５，Ｂバックライト３０６の発光ダイオード（ＢＬＥＤ１，ＢＬＥＤ２）のカソード電極にＰＷＭ信号（ＢＰＷＭ１，ＢＰＷＭ２）をそれぞれ発生させてＢバックライト３０５，Ｂバックライト３０６をそれぞれ駆動する。
【００６５】
本実施の形態では，Ｒ，Ｇ，Ｂバックライトがそれぞれ二つのバックライト（３０１，３０２，３０３，３０４，３０５，３０６）で構成されるので，ＰＷＭ信号発生手段３３０は第１Ｒ発光ダイオード（ＲＬＥＤ１），第１Ｇ発光ダイオード（ＧＬＥＤ１），第１Ｂ発光ダイオード（ＢＬＥＤ１）には，各々第１ＰＷＭ信号（ＲＰＷＭ１）と，第１ＰＷＭ信号（ＧＰＷＭ１），第１ＰＷＭ信号（ＢＰＷＭ１）をそれぞれ発生させる。
【００６６】
またＰＷＭ信号発生手段３３０は，第２Ｒ発光ダイオード（ＲＬＥＤ２），第２Ｇ発光ダイオード（ＧＬＥＤ２），第２Ｂ発光ダイオード（ＢＬＥＤ２）には，第２ＰＷＭ信号（ＲＰＷＭ２）と，第２ＰＷＭ信号（ＧＰＷＭ２）と，第２ＰＷＭ信号（ＢＰＷＭ２）とを各々発生させる。
【００６７】
このとき，前記ＰＷＭ信号発生手段３３０は，Ｒ発光ダイオード（ＲＬＥＤ１，ＲＬＥＤ２）に同じＰＷＭ信号（ＲＰＷＭ１，ＲＰＷＭ２），Ｇ発光ダイオード（ＧＬＥＤ１，ＧＬＥＤ２）に同じＰＷＭ信号（ＧＰＷＭ１，ＧＰＷＭ２），そしてＢ発光ダイオード（ＢＬＥＤ１，ＢＬＥＤ２）に同じＰＷＭ信号（ＢＰＷＭ１，ＢＰＷＭ２）をそれぞれ供給することもできる。
【００６８】
一方，それぞれ発光ダイオードの駆動電流のばらつきが不均一な場合には，ＰＷＭ信号発生手段３３０は，Ｒ発光ダイオード（ＲＬＥＤ１，ＲＬＥＤ２）に適した相互異なるＰＷＭ信号（ＲＰＷＭ１，ＲＰＷＭ２），Ｇ発光ダイオード（ＧＬＥＤ１，ＧＬＥＤ２）に適した相互異なるＰＷＭ信号（ＧＰＷＭ１，ＧＰＷＭ２），そしてＢ発光ダイオード（ＢＬＥＤ１，ＢＬＥＤ２）に適した相互異なるＰＷＭ信号（ＢＰＷＭ１，ＢＰＷＭ２）をそれぞれ供給することもできる。
【００６９】
このように，Ｒ，Ｇ，Ｂ発光ダイオードのそれぞれに互いに異なる駆動電圧を供給する場合，Ｒ，Ｇ，Ｂ発光ダイオードにすべて相互異なる駆動電圧を供給したり，または，Ｒ，Ｇ，Ｂ発光ダイオードの中で，少なくとも一つの発光ダイオードのそれぞれに互いに異なる駆動電圧を供給することもできる。
【００７０】
上述したような構成を有するバックライト駆動回路の動作を図５の波型図を参照して説明すると次のようになる。
【００７１】
本実施の形態で，一つのフレームが三つのサブフレーム，すなわちＲバックライトを駆動するためのＲサブフレーム，Ｇバックライトを駆動するためのＧサブフレーム，Ｂバックライトを駆動するためのＢサブフレームからなり，Ｒ，Ｇ，Ｂバックライトの順に一つのフレームの間に順次に駆動されると仮定する。
【００７２】
上記の条件下，駆動電圧発生手段３１０は，ＲサブフレームでＲ発光ダイオード（ＲＬＥＤ１，ＲＬＥＤ３）に駆動電圧，例えば，４．４Ｖの順方向駆動電圧（ＲＶｆ１，ＲＶｆ２）を発生する。このとき，ＬＥＤコントロール手段３２０には，図５に示すようにそれぞれＲバックライト３０１，Ｒバックライト３０２を駆動するためにそれぞれハイ状態及びロー状態の第１制御信号（ＬＥＤ＿ＣＴＲＬ０）及び第２制御信号（ＬＥＤ＿ＣＴＲＬ１）が印加される。
【００７３】
これによりＬＥＤコントロール手段３２０は，Ｒ，Ｇ，Ｂバックライト３００の中でＲバックライト３０１，Ｒバックライト３０２を駆動するための出力信号をＰＷＭ信号発生手段３３０で発生する。
【００７４】
なお，上記第１制御信号（ＬＥＤ＿ＣＴＲＬ０）と第２制御信号（ＬＥＤ＿ＣＴＲＬ１）の信号レベルの組合せによって，上記ＬＥＤコントロール手段３２０は，ＲＧＢバックライト３００のうちどのバックライトを駆動させるのかを決定している。図５に示すように，本実施の形態では，上記第１制御信号（ＬＥＤ＿ＣＴＲＬ０）と第２制御信号（ＬＥＤ＿ＣＴＲＬ１）の信号レベル（“第１制御信号”，“第２制御信号”）が（“ハイ”，“ロー”）のとき，Ｒバックライトが駆動され，（“ロー”，“ハイ”）のとき，Ｇバックライトが駆動され，（“ハイ”，“ハイ”）のとき，Ｂバックライトが駆動されるが，かかる例に限定されず，いかなる組合せの場合であっても実施可能である。
【００７５】
本実施の形態では，Ｒバックライト３０１，Ｒバックライト３０２は二つのＲ発光ダイオードが直列で接続されるので駆動電圧発生手段３１０から４．４Ｖの電圧が供給されるが，二つのＲ発光ダイオードを並列で接続して２．２Ｖの駆動電圧が供給されることもある。
【００７６】
従って，ＰＷＭ信号発生手段３３０は，前記ＬＥＤコントロール手段３２０から供給される出力信号によってＲバックライト３０１，Ｒバックライト３０２を駆動させるためのＰＷＭ信号（ＲＰＷＭ１，ＲＰＷＭ２）を出力端子（Ｒ＿ＯＵＴ１），出力端子（Ｒ＿ＯＵＴ２）を介して発生する。
【００７７】
よって，Ｒバックライト３０１，Ｒバックライト３０２は，発光ダイオード（ＲＬＥＤ１，ＲＬＥＤ３）のアノードに印加される該当順方向の駆動電圧（ＲＶｆ１，ＲＶｆ２）と発光ダイオード（ＲＬＥＤ２，ＲＬＥＤ４）のカソードに印加される該当ＰＷＭ信号（ＲＰＷＭ１，ＲＰＷＭ２）に相応する駆動電流が，図５に示すように流れるようになり，これにより所定の輝度及び色度を有するＲ色の光を放出する（ＩＲＥＤ：ＲＦ２，参照）。
【００７８】
続いて，駆動電圧発生手段３１０は，ＧサブフレームでＧバックライト３０３，Ｇバックライト３０４に駆動電圧，例えば，３．４Ｖの順方向駆動電圧（ＧＶｆ１，ＧＶｆ２）を発生する。このとき，ＬＥＤコントロール手段３２０には図５に示されたようにそれぞれＧバックライト３０３，Ｇバックライト３０４を駆動するためにそれぞれロー状態及びハイ状態の第１制御信号（ＬＥＤ＿ＣＴＲＬ０）及び第２制御信号（ＬＥＤ＿ＣＴＲＬ１）が印加される。
【００７９】
これによりＬＥＤコントロール手段３２０は，Ｒ，Ｇ，Ｂバックライトの中でＧバックライトを駆動するための出力信号をＰＷＭ信号発生手段３３０で発生する。
【００８０】
従って，ＰＷＭ信号発生手段３３０は，前記ＬＥＤコントロール手段３２０から供給される出力信号によってＧバックライト３０３，Ｇバックライト３０４を駆動させるためのＰＷＭ信号（ＧＰＷＭ１，ＧＰＷＭ２）を出力端子（Ｇ＿ＯＵＴ１），出力端子（Ｇ＿ＯＵＴ２）を介して発生する。よって，Ｇバックライト３０３，Ｇバックライト３０４は，発光ダイオード（ＧＬＥＤ１，ＧＬＥＤ３）のアノードに印加される該当順方向の駆動電圧（ＧＶｆ１，ＧＶｆ２）と発光ダイオード（ＧＬＥＤ２，ＧＬＥＤ４）のカソードに印加される該当ＰＷＭ信号（ＧＰＷＭ１，ＧＰＷＭ２）に相応する駆動電流が，図５に示すように流れるようになり，これにより所定の輝度及び色度を有するＧ色の光を放出する。
【００８１】
最後に，駆動電圧発生手段３１０は，ＢサブフレームでＢバックライト３０５，Ｂバックライト３０６に駆動電圧，例えば３，４Ｖの順方向駆動電圧（ＢＶｆ１，ＢＶｆ２）を発生する。この場合，ＬＥＤコントロール３２０には，図５に示すようにそれぞれＢバックライト３０５，Ｂバックライト３０６を駆動させるためにそれぞれハイ状態及びハイ状態の第１制御信号（ＬＥＤ＿ＣＴＲＬ０）及び第２制御信号（ＬＥＤ＿ＣＴＲＬ１）が印加される。これによりＬＥＤコントロール手段３２０は，Ｒ，Ｇ，Ｂバックライトの中からＢバックライト３０５，Ｂバックライト３０６を駆動するための出力信号をＰＷＭ信号発生手段３３０に発生する。
【００８２】
従って，ＰＷＭ信号発生手段３３０は，前記ＬＥＤコントロール手段３２０から供給される出力信号によってＢバックライト３０５，Ｂバックライト３０６を駆動させるためのＰＷＭ信号（ＢＰＷＭ１，ＢＰＷＭ２）を出力端子（Ｂ＿ＯＵＴ１），出力端子（Ｂ＿ＯＵＴ２）を介して発生する。よって，Ｂバックライト３０５，Ｂバックライト３０６は，発光ダイオード（ＢＬＥＤ１，ＢＬＥＤ３）のアノードに印加される該当順方向の駆動電圧（ＢＶｆ１，ＢＶｆ２）と発光ダイオード（ＢＬＥＤ２，ＢＬＥＤ４）のカソードに印加される該当のＰＷＭ信号（ＢＰＷＭ１，ＢＰＷＭ２）に相応する駆動電流が，図５に示すように流れるようになり，これにより所定の輝度及び色度を有するＢ色度の光を放出する。
【００８３】
従って，一つのフレームの間に駆動電圧発生手段３１０から発生されるＲ，Ｇ，Ｂバックライトの順方向駆動電圧（ＲＶｆ１，ＲＶｆ２），順方向駆動電圧（ＧＶｆ１，ＧＶｆ２），順方向駆動電圧（ＢＶｆ１，ＢＶｆ２）とＰＷＭ信号発生手段３３０から発生されるＲ，Ｇ，ＢバックライトのＰＷＭ信号（ＲＰＷＭ１，ＲＰＷＭ２），ＰＷＭ信号（ＧＰＷＭ１，ＧＰＷＭ２），ＰＷＭ信号（ＢＰＷＭ１，ＢＰＷＭ２）に相応する駆動電流が流れるので，所定の輝度及び色度を有する光を放出する。
【００８４】
本実施の形態では，一つのフレームを三つのサブフレームに分割し，各サブフレームごとにＲ，Ｇ，Ｂ発光ダイオードを順次駆動することを例示したが，一つのフレームを四つ以上のサブフレームに分割し，三つのサブフレームではＲ，Ｇ，Ｂ発光ダイオードを順次駆動し，残り一つのフレームではＲ，Ｇ，Ｂ発光ダイオードをすべて駆動したり，またはＲ，Ｇ，Ｂ発光ダイオードの中から一つ以上を駆動することもできる。一方，バックライトをＲ，Ｇ，Ｂ，Ｗ発光ダイオードで構成させて四つのサブフレームの中，三つのサーブフレームではＲ，Ｇ，Ｂ発光ダイオードを駆動し，残り一つのフレームでＷ発光ダイオードを構成することもできる。
【００８５】
本実施形態では，一つのフレーム内の各サブフレームでＲ，Ｇ，Ｂ発光ダイオード（ＲＬＥＤ，ＧＬＥＤ，ＢＬＥＤ）がＲ，Ｇ，Ｂ順に発光されるように制御したが，最適の輝度及び色度を得るために発光ダイオードの発光順序を任意に変更することができる。また，図５で示すように，一つのサブフレームを２区間（ＲＦ１，ＲＦ２），（ＧＦ１，ＧＦ２），（ＢＦ１，ＢＦ２）に分割し，第１区間（ＲＦ１，ＧＦ１，ＢＦ１）は，コントロール区間として，Ｒ，Ｇ，Ｂ発光ダイオードに適した順方向駆動電圧を選択し，第２区間（ＲＦ２，ＧＦ２，ＢＦ２）で選択された順方向駆動電圧を発生して各発光ダイオードを駆動する方式を例示したが，かかる例に限定されない。
【００８６】
以上により，バックライト駆動回路は，各発光ダイオードに適した駆動電圧を供給し消費電力を減少させることができ，また上記バックライト駆動回路は，各ＲＧＢ発光ダイオードに適した駆動電圧を供給し効率を最大化させることができる。
【００８７】
また，バックライト駆動回路は，ＰＷＭ値を用いて色純度を最適化させることができる。また，バックライト駆動回路は，各色のＲＧＢ発光ダイオードに対し，電圧が一律等しい駆動電流ではなく，各色に応じて適切な駆動電圧である駆動電流を供給することができる。
【００８８】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【産業上の利用可能性】
【００８９】
本発明は，フィールド順次駆動方式の液晶表示装置に備わるバックライト駆動回路に適用可能である。
【図面の簡単な説明】
【００９０】
【図１】従来のフィールド順次駆動方式である液晶表示装置を示す構成図である。
【図２】従来のフィールド順次駆動方式である液晶表示装置に使用されるバックライト駆動回路を示す図である。
【図３】本発明の実施形態に係るフィールド順次駆動方式の液晶表示装置に使用されるバックライト駆動回路を示す概略的な構成図である。
【図４】本発明の実施形態に係るフィールド順次駆動方式の液晶表示装置に使用されるバックライト駆動回路を示す構成図である。
【図５】図４のバックライト駆動回路の動作波形図である。
【符号の説明】
【００９１】
３００：バックライト
３０１，３０２：Ｒバックライト
３０３，３０４：Ｇバックライト
３０５，３０６：Ｂバックライト
３１０：駆動電圧発生手段
３２０：ＬＥＤコントロール手段
３３０：ＰＷＭ信号発生手段
ＲＬＥＤ１−ＲＬＥＤ４：Ｒ発光ダイオード
ＧＬＥＤ１，ＧＬＥＤ２：Ｇ発光ダイオード
ＢＬＥＤ１−ＢＬＥＤ４：Ｂ発光ダイオード
【図１】
2005157394.tif 000003
【図２】
2005157394.tif 000004
【図３】
2005157394.tif 000005
【図４】
2005157394.tif 000006
【図５】
2005157394.tif 000007